(57)【特許請求の範囲】
【請求項１】
電話機本体組立体と、
ラバー製であるシート部と該シート部上に突き出ている複数の凸部とよりなるベースと、該ベースの該凸部上に配してある複数のキートップとを有し、前記電話機本体組立体の上面に載っているキートップ組立体と、
前記電話機本体組立体と前記キートップ組立体とを収容するケース組立体とよりなり、
該ケース組立体は、前記キートップと嵌合する開口を有する操作部を有し、該操作部が該開口が前記キートップと嵌合して配置してあり、該操作部と前記ベース部の前記シート部との間に空間を有する構成であり、
前記キートップ組立体は、前記ベースの前記シート部の上面に、上面が黒塗装面である反射シートを敷設してなる構成としたことを特徴とする携帯電話機。
【発明の詳細な説明】
【０００１】
【発明の属する技術分野】
本発明は携帯電話機に関する。
【０００２】
【従来の技術】
図２５は、従来の１例の携帯電話機１０の操作部１１を示す。操作部１１は、シリコンラバー製のテンキーパッド１２が、電話機本体組立体１３上に載っており、テンキーパッド１２上にフロントケース１４が被さった構成である。テンキーパッド１２は、図２６（Ａ），（Ｂ）に示すように、シート部１５と、シート部１５上に突き出て並んでいる複数のキートップ１６とよりなる。各キートップ１６には、キーの機能を示す文字等が印刷してある。携帯電話機１０のデザイン上等から、複数のキートップ１６は、高さが異なっている。
【０００３】
キートップ１６への文字等の印刷は、作業能率等の点から、テンキーパッド１２を、図２７に示すように、キートップ１６の高さの違いに対応した形状を有する治具２０上に真空吸着させて、キートップ１６の面を一の平面２１上に揃え、全部のキートップ１６の面に一括して行っている。特に、キートップ１６−１とキートップ１６−２との高さの差が大きいため、シート部１５は、特に、キートップ１６−１とキートップ１６−２との間で、急峻に曲げられる。ここで、キートップ１６−１及びキートップ１６−２は、夫々肉厚の薄いスカート部２２、２３を有する。
【０００４】
【発明が解決しようとする課題】
しかるに、従来の携帯電話機１０のテンキーパッド１２は、シート部１５が同じ厚さで有るため、キートップ１６の面を一の平面２１上に揃えるときに、肉厚の薄いスカート部２２、２３の箇所が、急峻に曲げられ、ここに強い応力がかかり、肉厚の薄いスカート部２２、２３を傷めてしまうという問題点があった。
【０００５】
そこで、本発明はキートップの回りは光らせないで、キートップを明るく光らせることによって見栄えをよくするようにした携帯電話機を提供すること目的とする。
【０００６】
【課題を解決するための手段】
請求項１の発明は、電話機本体組立体と、
ラバー製であるシート部と該シート部上に突き出ている複数の凸部とよりなるベースと、該ベースの該凸部上に配してある複数のキートップとを有し、前記電話機本体組立体の上面に載っているキートップ組立体と、
前記電話機本体組立体と前記キートップ組立体とを収容するケース組立体とよりなり、
該ケース組立体は、前記キートップと嵌合する開口を有する操作部を有し、該操作部が該開口が前記キートップと嵌合して配置してあり、該操作部と前記ベースの前記シート部との間に空間を有する構成であり、
前記キートップ組立体は、前記ベース部の前記シート部の上面に、上面が黒塗装面である反射シートを敷設してなる構成としたものである。
【０００７】
【発明の実施の形態】
図１乃至図３は本発明に係る第１機種の携帯電話機３０を示す。第１機種の携帯電話機３０は、電話機本体組立体３１及び電話機本体組立体３１の上面の載っているテンキーパッド組立体３２が、ねじ３５により、リアケース組立体３３及びフロントケース組立体３４とともじめされて、リアケース組立体３３及びフロントケース組立体３４とが組み合わされてなるケース組立体３６内に収容された構成である。
【０００８】
リアケース組立体３３は、リアケース３６にアンテナ３７が組み込まれた構成である。フロントケース組立体３４は、フロントケース３８の外側に、フリッパ３９と、表示窓部材４０と、受話器カバー４１とが取り付けられ、フロントケース３８の内側に、フリッパロック解除機構４２等が組み込まれた構成である。フリッパ３９は後述するヒンジ機構によって開く方向に付勢されている。
【０００９】
第１機種の携帯電話機３０は、ケース組立体３６の上面に、第１の操作部５１と、第２の操作部５２と、液晶表示部５３と、受話器部５４と、送話器部５５とを有し、ケース組立体３６の側面に、フリッパ開き操作部５６と、音量調整操作部５７とを有する。第１機種の携帯電話機３０は、リア面に、バッテリ５８を装着された状態で使用される。第１の操作部５１は、通常はフリッパ３９によって覆われている。第２の操作部５２は、第１の操作部５１と液晶表示部５３との間に配されており、使い勝手を良くするため常に露出している。
【００１０】
図４乃至図６は本発明に係る第２機種の携帯電話機３０Ａを示す。図４乃至図６中、図１乃至図３に示す構成部分と同じ部分には同じ符号を付し、図１乃至図３に示す構成部分と対応する部分には、添字Ａを付した同じ符号を付す。
【００１１】
第２機種の携帯電話機３０Ａは、電話機本体組立体３１及び電話機本体組立体３１の上面の載っているテンキーパッド組立体３２Ａが、ねじ３５により、リアケース組立体３３及びフロントケース組立体３４Ａとともじめされて、リアケース組立体３３及びフロントケース組立体３４Ａとが組み合わされてなるケース組立体３６Ａ内に収容された構成である。
【００１２】
リアケース組立体３３は、リアケース３６にアンテナ３７が組み込まれた構成である。フロントケース組立体３４Ａは、フロントケース３８Ａの外側に、フリッパ３９と、表示窓部材４０Ａとが取り付けられ、フロントケース３８Ａの内側に、フリッパロック解除機構４２等が組み込まれた構成である。表示窓部材４０Ａは、図１中の表示窓部材４０より大きく、下記の第２の操作部５２Ａにまで覆う大きさを有する。
【００１３】
第２機種の携帯電話機３０Ａは、ケース組立体３６の上面に、第１の操作部５１と、第２の操作部５２Ａと、液晶表示部５３Ａと、受話器部５４Ａと、送話器部５５とを有し、ケース組立体３６の側面に、フリッパ開き操作部５６と、音量調整操作部５７Ａとを有する。第２機種の携帯電話機３０Ａは、リア面に、バッテリ５８を装着された状態で使用される。第１の操作部５１は、通常はフリッパ３９によって覆われている。第２の操作部５２Ａは、第１の操作部５１と液晶表示部５３Ａとの間に配されており、使い勝手を良くするため常に露出している。
次に、テンキーパッド組立体３２について説明する。
【００１４】
図７（Ａ）乃至（Ｃ）に示すように、テンキーパッド組立体３２は、シリコンラバー製のベース６０と、合成樹脂製の透明なキートップ６１と、反射シート６２とよりなる。
【００１５】
シリコンラバー製のベース６０は、平面状のシート部６０ａと、シート部６０ａ上の突き出ている複数の凸部６０ｂとよりなる。各凸部６０ｂの天面６０ｃ上に、合成樹脂製のキートップ６１が接着してある。テンキーパッド組立体３２は、図３に示すように、シート部６０ａが平面とされた状態で組み込まれている。合成樹脂製のキートップ６１は、透明であり、その底面に文字又は模様等が印刷してある。
【００１６】
ここで、テンキーパッド組立体３２のキーについてみるに、テンキーパッド組立体３２は、４×４個のテンキー６５よりなるテンキー群６６と、４個のファンクションキー６７よりなるファンクションキー群６８と、通話開始キー６９と、リダイヤルキー７０と、通話終了キー７１とよりなる通話関連キー群７２とを有する。テンキー群６６とファンクションキー群６８とが第１の操作部５１に配され、通話関連キー群７２が、第２の操作部５２に配される。よって、図７（Ｃ）に示すように、シート部６０ａを基準としてみたときの、テンキー６５及びファンクションキー６７の高さＨ１とキー６９、７０、７１の高さＨ２との間には、大きな差Ｓ１がある。また厳密にみると各テンキー６５及びファンクションキー６７の間でも高さに少しの差Ｓ２がある。即ち、各キートップ６１の天面６１ｂの間には、高さの差がある。操作し易くするため、第１の操作部５１の面が曲面となっているからである。
【００１７】
シリコンラバー製のベース６０の各凸部６０ｂの高さＨ１０は、上記テンキー６５及びファンクションキー６７の高さＨ１とキー６９、７０、７１の高さＨ２に対応して違えてある。合成樹脂製のキートップ６１は、全て実質上同じ高さ寸法Ｈ２０である。よって、携帯電話機３０、３０Ａの使用者がキーを見たときに、キー６５、６７間で、文字又は模様等の見え具合に差がなく、第１の操作部５１の全部のキー６５、６７について文字又は模様等は同じ見やすさで見える。また、キー６５、６７とキー６９、７０、７１との間でも文字等の見え具合に差がない。よって、全部のキー６５、６７、６９、７０、７１について文字等の見え方は均一である。  また、各合成樹脂製のキートップ６１は、下端の位置に、周囲に張り出たフランジ部６１ａを有する。
【００１８】
また、図７（Ｂ）及び（Ｃ）に示すように、シリコンラバー製のベース６０の平面状のシート部６０ａに、スリット７５が形成してある。スリット７５は、シート部６０ａのうち、テンキー群６６及びファンクションキー群６８を支持するテンキー・ファンクションキー群支持領域部６０ａ−１と通話関連キー群７２を支持する通話関連キー群支持領域部６０ａ−２との間に、両者を分断するようにシート部６０ａの略全幅にわたって形成してあり、フレキシブル化構造部を形成する。
【００１９】
合成樹脂製のキートップ６１のシリコンラバー製のベース６０への接着は、作業能率等の点から、図８に示すようにして行う。キートップ集合体７７と、治具７８とを用意する。キートップ集合体７７は、合成樹脂製の成型品であって、合成樹脂製のキートップ６１が繋ぎリブ７９により繋がっており、平面内に、図７（Ｂ）の配置で並んだ構成である。治具７８は、上面８０を有する。上面８０は、シリコンラバー製のベース６０の各凸部６０ｂの天面６０ｃを通る曲面を上下にした曲面である。また、治具７８は真空引き装置（図示せず）を有する。
【００２０】
上記の接着作業は、先ず、図８に示すように、シリコンラバー製のベース６０を治具７８の上面８０に載置し、真空引き装置（図示せず）により真空吸着させる。これにより、シリコンラバー製のベース６０は、シート部６０ａが治具７８の上面８０に密着した状態となり、各凸部６０ｂの天面６０ｃが、一の平面８１内に揃った状態となる。
【００２１】
この状態で、キートップ集合体７７を、その各キートップ６１を対応する凸部６０ｂに位置合わせしてベース６０上に置き、押しつける。これにより、全部のキートップ６１が対応する凸部６０ｂの天面６０ｃに一括して接着される。
【００２２】
次いで、繋ぎリブ７９を切り落とす。最後に、真空引きを解除する。
【００２３】
上記の治具７８の上面８０に吸着された状態において、シート部６０ａは、図８に示すように、通話関連キー群支持領域部６０ａ−２とテンキー・ファンクションキー群支持領域部６０ａ−１との間で大きく段違いとなる。しかし、上記のスリット７５が存在することにより、シート部６０ａが容易に撓んで、特に大きな応力が作用することなく、通話関連キー群支持領域部６０ａ−２とテンキー・ファンクションキー群支持領域部６０ａ−１との間が段違いとされる。このため、応力が作用し易い凸部６０ｂ−１及び凸部６０ｂ−２の根元の肉厚の薄いスカート部８２、８３にも過度の応力は作用せず、スカート部８２、８３が傷んだり、破損したりすることが起きない。
【００２４】
上記のスリット７５を設けた構成は、文字等を凸部６０ｂの天面６０ｃに一括して印刷する場合にも効果がある。
【００２５】
図９は、第１の変形例になるシリコンラバー製のベース６０−１を示す。上面と下面とに間隔をおいて設けたＶ字状の溝８５、８６が、フレキシブル化構造部を構成している。ベース６０−１は、図９（Ｂ）に示すように、曲がる。
【００２６】
図１０は、第２の変形例になるシリコンラバー製のベース６０−２を示す。薄肉部８７が、フレキシブル化構造部を構成している。ベース６０−２は、図１０（Ｂ）に示すように、曲がる。
【００２７】
次に、上記の反射シート６２について説明する。反射シート６２は、図７（Ａ）乃至（Ｃ）、及び図１１に示すように、シリコンラバー製のベース６０の凸部６０ｂに対応した開口６２ａを有し、下面が反射面６２ｂとされ、上面に黒塗装面６２ｃを有する不透明のシートである。この反射シート６２は、各開口６２ａを対応する凸部６０ｂに嵌合させて、シート部６０ａ上に敷設してある。
【００２８】
反射シート６２は、図１１に示すように、電話機本体組立体３１上の発光ダイオード９０より出てシート部６０ａ内に入った光のうち、シート部６０ａの上面から出ようとする光９１を反射させて、符号９２で示すように、凸部６０ｂに向かわせる。これにより、発光ダイオード９０より出た光が有効に利用され、各キートップ６１はより明るく光る。
【００２９】
また、反射シート６２は、光がシート部６０ａの上面から抜け出ることを制限し、キートップ６１のフランジ部６１ａと協働して、キートップ６１と第１の操作部５１の開口９５との隙間９６より光が符号９７で示すように漏れだすことが防止される。よって、第１機種の携帯電話機３０を暗い場所で使用するに際して第１の操作部５１及び第２の操作部５２を光らしたときに、キートップ６１の周りの箇所が明るくなることが無くなり、見ためがよくなる。
【００３０】
テンキーパッド組立体３２Ａも上記のテンキーパッド組立体３２と実質上同じ構成であり、第２機種の携帯電話機３０Ａも上記の第１機種の携帯電話機３０と同じ効果を有する。
【００３１】
次に、第１機種の携帯電話機３０のケース組立体３６の側面の音量調整操作部５７の構成について説明する。
【００３２】
図１２、図１３、図１４及び図１５に示すように、音量調整操作部５７は、ケース組立体３６の側面１０３に突き出して設けてある丘部１００と、２つの操作ノブ１０１、１０２とよりなる。矢印Ｘは携帯電話機３０の長手方向であり、矢印Ｚは携帯電話機３０の高さ方向である。丘部１００は、略円柱の周面の形状を有し、且つ、長手方向上の両端が球面とされた形状であり、Ｘ方向に延在しており、中央の円柱周面部１００ａと、両端側の球面部１００ｂ，１００ｃとよりなる。丘部１００のうち、両端寄り側の位置に、開口１０４、１０５が形成してある。操作ノブ１０１は開口１０４に臨んで設けてあり、操作ノブ１０２は開口１０５に臨んで設けてある。
【００３３】
図１３、及び図１４は、第１機種の携帯電話機３０を取り扱っているときに、その音量調整操作部５７が、物に押しつけられたときの状態を示す。
【００３４】
図１３は、Ｘ方向に細長い物１１０に押しつけられたときの状態を示す。丘部１００の中央の円柱周面部１００ａと端側の球面部１００ｃとが物１１０に当たり、操作ノブ１０２は押されない。操作ノブ１０１についても、丘部１００の中央の円柱周面部１００ａと端側の球面部１００ｂとが物に当たり、押されない。
図１４は、Ｚ方向に細長い物１１１に押しつけられたときの状態を示す。丘部１００の端側の球面部１００ｂが物１１１に当たり、操作ノブ１０１はスイッチを動作させる位置までは押されない。
【００３５】
よって、音量調整操作部５７は、Ｘ方向に細長い物１１０に対しても、Ｚ方向に細長い物１１１に対しても、誤動作に強い構成を有する。
【００３６】
図１５に示すように、文字１１２は、ケース組立体３６の側面１０３のうち、丘部１００の円柱周面部１００ａに近い部分１１３にシルク印刷してある。この部分１１３は、凹状面となっている。よって、第１機種の携帯電話機３０を取り扱っているときに、指１１４が文字１１２に当たりにくく、指１１４が文字１１２に当たったとしても、文字１１２を擦る力が弱く、文字１１２は消えにくい。
次に、フリッパロック解除機構４２について、図１６及び図１７を参照して説明する。
【００３７】
フリッパロック解除機構４２は、ロック部材１２０と、トーションコイルばね１２１とよりなる。
【００３８】
ロック部材１２０は、ポリアセタール樹脂製の成型品であり、押し釦部１２０ａと、腕部１２０ｂと、腕部１２０ｂの先端側の爪部１２０ｃと、押し釦部１２０ａのうち腕部１２０ｂの付け根部近傍の段部１２０ｄとを有する。このロック部材１２０は、爪部１２０ｃが、フロントケース３８のうち第１の操作部５１に臨む部位の開口１２２に嵌合して開口１２２より少し突き出して、且つ、押し釦部１２０ａがフロントケース３８の側面に露出してフリッパ開き操作部５６を構成して、フロントケース３８の内側に、Ｘ１方向に移動可能に組み込まれている。
【００３９】
トーションコイルばね１２１は、コイル部１２１ａと、このコイル部１２１ａより延びている長い腕部１２１ｂと、短い腕部１２１ｃとを有する。このトーションコイルばね１２１は、コイル部１２１ａをフロントケース３８の内側のボス１２３に嵌合し、長い腕部１２１ｂの途中の部分が、爪部１２０ｃの裏側の溝１２０ｅに嵌合し、長い腕部１２１ｂの先端がボス１２４とリブ１２５との間に入り込んでいる。短い腕部１２１ｃは、押し釦部１２０ａに掛けてある。トーションコイルばね１２１は、押し釦部１２０ａをＸ２方向に付勢し、爪部１２０ｃをＹ２方向に付勢する。
【００４０】
指先で押し釦部１２０ａを押すと、爪部１２０ｃが開口１２２の縁に案内されて開口１２２内に後退し、フリッパ３９に対するロックが解除され、フリッパ３９が開く。指先を押し釦部１２０ａより離すと、ロック部材１２０は、トーションコイルばね１２１のばね力により戻される。
【００４１】
図１７（Ｃ）に示すように、ボス１２３と、第２の操作部５２の窓の縁のリブ１２６との間の隙間１２７は、間隔ｂが、トーションコイルばね１２１の線材の径ｃより少し小さく定めてある。よって、トーションコイルばね１２１のコイル部１２１ａは、その全周のうち長い腕部１２１ｂが延びている側の部分を、上記隙間１２７内に強制的に押し込まれて固定してある。符号１３０はコイル部１２１ａが固定してある部分を示す。よって、コイル部１２１ａのうち符号１３０がボス１２３から抜ける方向にずれて、コイル部１２１ａが軸線１２８に関して矢印１２９で示す方向に傾くことが防止される。よって、長い腕部１２１ｂの先端が図１７中紙面に垂直の方向に迫り上がってリブ１２５から外れてしまうことが確実に防止される。
【００４２】
また、フロントケース３８の裏面には、ストッパ部としてのストッパ柱１３１が、押された押し釦部１２０ａの段部１２０ｄを受け止める部位に形成してある。これにより、押し釦部１２０ａを強く押しても、押し釦部１２０ａの押し込みは、段部１２０ｄがストッパ柱１３１に当たった位置で確実に制限される。従って、押し釦部１２０ａを押し込むときに、使用者に最終の押し込み位置を確実に認識させることが出来、よって、操作の感触を良好と出来る。
【００４３】
また、図７（Ｂ）に示すように、リダイヤルキー７０の合成樹脂製のキートップ６１の下端の位置の周囲に張り出たフランジ部６１ａは、一部に、符号１３２で示す爪部受け部を有する。爪部１２０ｃが開口１２２に入り込む最大位置は、爪部１２０ｃの背面が爪部受け部１３２に当たることによって規制される。よって、爪部１２０ｃがフロントケース３８の内側まで入り込んで引っ掛かって出てこなくなってしまう事が起きることが防止される。
【００４４】
次に、フロントケース３８の反りを防止する構成について説明する。
【００４５】
図１８に示すように、突部１４０、１４１が、フロントケース３８の内側のうち、第１の操作部５１に対応する箇所であって、且つ、長手方向中心線１４２上の離れた２箇所の部位であって、且つ、キートップが嵌合する隣合う開口９５の間の部位に形成してある。突部１４０、１４１に対応して、テンキーパッド組立体３２には、孔１４５，１４６が形成してある。孔１４５，１４６は、シリコンラバー製のベース６０のうち凸部６０ｂを避けた位置、即ち、シート部６０ａに形成してある。突部１４０、１４１の高さｄは、シート部６０ａの厚さｅより若干大きい。
【００４６】
図１９は、前記のようにねじ３５を締めて第１機種の携帯電話機３０を組立てたときの状態を示す。電話機本体組立体３１はリアケース組立体３３内に載って略納まっている。電話機本体組立体３１の上面にテンキーパッド組立体３２が載っている。フロントケース組立体３４は、リアケース組立体３３と組み合わさっており、電話機本体組立体３１及びテンキーパッド組立体３２を覆っている。フロントケース３８の突部１４０、１４１は、夫々テンキーパッド組立体３２の孔１４５，１４６に嵌合しており、電話機本体組立体３１の上面に当接している。
ここで、上記の突部１４０、１４１が無い場合には、フロントケース３８は、ねじ３５がねじ込まれる部位のボス１４７（周囲に分散して複数ある）がリアケース組立体３３の対応するボス（図示せず）に当接して周囲の複数箇所を支えられた状態となり、第１の操作部５１は支えがないため、凹むように反り、電話機本体組立体３１に悪影響を及ぼす虞れがある。しかし、本発明によれば、図１９に示すように、突部１４０、１４１が電話機本体組立体３１の上面に当接して、第１の操作部５１の中央部が支えられる。よって、フロントケース３８は、周囲の複数の箇所を支持されると共に、中央の２箇所を支持されることになり、ねじ３５をねじ込んで締めたときにも、フロントケース３８が凹むように反ることが起きない。フロントケース３８が反らないため、電話機本体組立体３１に悪影響は及ばない。
【００４７】
なお、図１８に示すように、フロントケース３８は、ヒンジ機構を納めるヒンジ機構組み込み部１５０を有する。ヒンジ機構組み込み部１５０は、図２０に併せて示すように、トンネル部１５１からなり、トンネル部１５１は奥部が切り取られた状態にある。符号１５２は切り取られた部分を示す。これにより、成型金型についてみると、切り取られた部分１５２については、矢印Ｚ方向に動く金型を使用出来、よって、ヒンジ機構組み込み部１５０の肉厚を全体にわたって均一に出来る。よって、「ひけ」の影響が出ないようにすることが出来、ヒンジ機構組み込み部１５０のうちフロントケース３８の表面にでる面１５３を凹みの無い面と出来る。なお、フロントケース３８の内側からみると、ヒンジ機構１５４はその一部が露出した状態となるが、ヒンジ機構１５４はその他の部分をヒンジ機構組み込み部１５０に組み込まれており空回りすることはなく問題はない。
【００４８】
次に、着信発光部１６０について、図２１、図２２、図２３を参照して説明する。この着信発光部１６０は、第１機種の携帯電話機３０に適用してある。
【００４９】
着信発光部１６０は、透明樹脂製のパネル部材１６１を有する。パネル部材１６１は、図２２に示すように、略円弧状の帯状体よりなるパネル部１６１ａと、パネル部１６１ａより内側に張り出した板状の導光板部１６１ｂとよりなる。フロントケース３８のうち受話器部５４側の端に開口１６２が形成してある。着信発光部１６０は、図２２に示すように、パネル部材１６１を開口１６２に嵌合させ、次いで、受話器カバー４１を取付けて超音波接着することにより組立てられる。
【００５０】
図２３に示すように、パネル部材１６１は、導光板部１６１ｂが開口１６２を通ってフロントケース３８内に入り込んでおり、パネル部１６１ａが開口１６２に嵌合し、パネル部１６１ａの一端側の凹部１６１ｃがフロントケース３８と嵌合し、パネル部１６１ａの一端側部１６１ｄを受話器カバー４１により押さえられて取り付けてある。導光板部１６１ｂの端が、電話機本体組立体３１に取り付けてある発光ダイオード１６３に対向している。
【００５１】
発光ダイオード１６３からの光１６５は、導光板部１６１ｂ内に入り、符号１６６で示すように、導光板部１６１ｂ内を伝播してパネル部１６１ａに導かれ、符号１６７で示すように、パネル部１６１ａより出射する。よって、導光板部１６１ｂが存在することにより、導光板部１６１ｂがない場合に比べて、発光ダイオード１６３からの光１６５が有効に利用され、パネル部１６１ａがより明るく光る。よって、パネル部１６１ａの大きさを従来のものより小さく出来る。
【００５２】
次に、図４に示す第２機種の携帯電話機３０Ａの第２の操作部５２Ａの構成について、図２４（Ａ）乃至（Ｃ）を参照して説明する。
【００５３】
フロントケース３８Ａのうち、第２の操作部５２Ａの裏面には、フロントケース３８Ａの肉厚を通常より薄くして、即ち、座ぐることによって、平面部１７０が形成してある。合成樹脂製のキートップ６１は、下端の位置より周囲に張り出たフランジ部６１ａが平面部１７０に当接した状態で位置決めされている。第２の操作部５２Ａが薄くなっている分、キートップ６１はフロントケース３８Ａの上面より多く突き出る。そこで、表示窓部材４０Ａのうち第２の操作部５２Ａを覆う部分に形成してある開口１７１が、キートップ６１のうちフロントケース３８Ａより突き出た部分と嵌合している。
【００５４】
平面部１７０は、キートップのフランジ部を受けるためにリブを形成する場合に比べて、簡単な金型で成型出来る。
【００５５】
次のような実施の態様が考えられる。
【００５６】
（付記１）  電話機本体組立体と、該電話機本体組立体を収容するケース組立体とよりなり、該ケース組立体の側面に２つの操作ノブが近接して配された構成の携帯電話機において、
該ケース組立体の側面に丘部を設け、該丘部のうち長手方向上両端寄りの部分に上記操作ノブを露出させて設けた構成としたことを特徴とする携帯電話機。
【００５７】
付記１の発明によれば、ケース組立体の側面に丘部を設け、この丘部のうち長手方向上両端寄りの部分に操作ノブを一つづつ露出させて設けた構成であるため、携帯電話機の長手方向に細長い物に対しても、携帯電話機の高さ方向に細長い物に対しても、操作ノブが押され難く、誤動作に強い構成を実現出来る。
【００５８】
（付記２）  電話機本体組立体と、該電話機本体組立体を収容するケース組立体とよりなり、該ケース組立体の側面に操作ノブが配され、該該ケース組立体の側面のうち該操作ノブの近くに該操作ノブに関連する文字が印刷してある構成の携帯電話機において、
該ケース組立体の側面に丘部を設け、該丘部に上記操作ノブを露出させて設け、上記文字を上記ケース組立体の側面のうち該丘部に近い部分に印刷してなる構成としたことを特徴とする携帯電話機。
【００５９】
付記２の発明によれば、ケース組立体の側面に丘部を設け、丘部に操作ノブを露出させて設け、操作ノブに関連する文字をケース組立体の側面のうち丘部に近い部分に印刷してなる構成としたものであるため、文字は凹状となっている部分に存在し、携帯電話機を取り扱っているときに、指が文字に当たりにくく、指が文字に当たったとしても、文字を擦る力が弱く、よって、文字を消えにくく出来る。
【００６０】
（付記３）  電話機本体組立体と、
フリッパを有し、電話機本体組立体を収容するケース組立体と、
該ケース組立体に組み込まれており、操作されたときに該フリッパに対するロックを解除するフリッパロック解除機構とを有する携帯電話機において、
該フリッパロック解除機構は、
押し釦部と、該押し釦部より延びている腕部と、腕部の先端側にある爪部とよりなり、該押し釦部が該ケース組立体の側面に露出し、該爪部が該ケース組立体の外側に突き出ており上記フリッパを掛止する構成のロック部材と、
コイル部と、該コイル部より延在している２つの腕部とよりなり、該コイル部を該ケース組立体のボス部に嵌合され、一の腕部が上記爪部を押し出すように付勢して、別の一の腕部が上記押し釦部を押し戻すように付勢して、組み込まれているトーションコイルばねと、
該ケース組立体に形成してあり、上記押し釦部が押し込まれたときに該押し釦部を受けるストッパ部とよりなる構成としたことを特徴とする携帯電話機。
【００６１】
付記３の発明によれば、ケース組立体に、押し釦部が押し込まれたときに押し釦部を受けるストッパ部を設けた構成であるため、押し釦部を強く押しても、押し釦部の押し込みは、押し釦部がストッパ部に当たった位置で確実に制限される。従って、押し釦部を押し込むときに、使用者に最終の押し込み位置を確実に認識させることが出来、よって、操作の感触を良好と出来る。
【００６２】
（付記４）  電話機本体組立体と、
フリッパを有し、電話機本体組立体を収容するケース組立体と、
該ケース組立体に組み込まれており、操作されたときに該フリッパに対するロックを解除するフリッパロック解除機構とを有する携帯電話機において、
該フリッパロック解除機構は、
押し釦部と、該押し釦部より延びている腕部と、腕部の先端側にある爪部とよりなり、該押し釦部が該ケース組立体の側面に露出し、該爪部が該ケース組立体の外側に突き出ており上記フリッパを掛止する構成のロック部材と、
コイル部と、該コイル部より延在している２つの腕部とよりなり、該コイル部を該ケース組立体のボス部に嵌合され、一の腕部が上記爪部を押し出すように付勢して、別の一の腕部が上記押し釦部を押し戻すように付勢して、組み込まれているトーションコイルばねと、
該ケース組立体に、上記ボス部に近接して形成してあるリブとよりなり、
該トーションコイルばねの該コイル部のうち上記別の一の腕部側の部分が、該ボス部と該リブとの間に押し込まれて固定してある構成としたことを特徴とする携帯電話機。
【００６３】
付記４の発明によれば、トーションコイルばねのコイル部のうち爪部を押す腕部側の部分が、ボス部とリブとの間に押し込まれて固定してある構成であるため、コイル部が上記腕部の先端が迫り上がる方向に傾くことを防止し得、よって腕部の先端がリブ等から外れてしまうことが確実に防止出来る。
【００６４】
（付記５）  電話機本体組立体と、
複数のキートップを有し、上記電話機本体組立体の上面に載っているキートップ組立体と、
フリッパを有し、電話機本体組立体とキートップ組立体とを収容するケース組立体と、
該ケース組立体に組み込まれており、操作されたときに該フリッパに対するロックを解除するフリッパロック解除機構とを有する携帯電話機において、
該フリッパロック解除機構は、
押し釦部と、該押し釦部より延びている腕部と、腕部の先端側にある爪部とよりなり、該押し釦部が該ケース組立体の側面に露出し、該爪部が該ケース組立体の外側に突き出ており上記フリッパを掛止する構成のロック部材と、
コイル部と、該コイル部より延在している２つの腕部とよりなり、該コイル部を該ケース組立体のボス部に嵌合され、一の腕部が上記爪部を押し出すように付勢して、別の一の腕部が上記押し釦部を押し戻すように付勢して、組み込まれているトーションコイルばねと、
上記キートップ組立体のキーのフランジ部の一部に形成してあり、後退した爪部を受ける爪部受け部とよりなり、
該爪部受け部が爪部の後退した位置を決定する構成としたことを特徴とする携帯電話機。
【００６５】
付記５の発明によれば、キートップ組立体のキーのフランジ部の一部に、後退した爪部を受ける爪部受け部を形成し、この爪部受け部が爪部の後退した位置を決定する構成であるため、爪部フロントケースの内側まで入り込んで引っ掛かって出てこなくなってしまう事が起きることを防止出来る。
【００６６】
（付記６）  電話機本体組立体と、
ラバー製であるシート部と該シート部上に配してある複数のキートップとを有し、上記電話機本体組立体の上面に載っているキートップ組立体と、
ねじ止めされたフロントケースとリアケースとより構成され、内部に電話機本体組立体とキートップ組立体とを収容するケース組立体とよりなり、
該フロントケースの内面うち略中央に突部を設け、該キートップ組立体には該突部に対応する箇所に孔を設け、該突部が該孔に嵌合して、上記電話機本体組立体の上面に当接した構成としたことを特徴とする携帯電話機。
【００６７】
付記６の発明によれば、フロントケースの内面うち略中央に突部を設け、キートップ組立体には突部に対応する箇所に孔を設け、突部が孔に嵌合して、電話機本体組立体の上面に当接した構成としたため、フロントケースは、周囲の複数の箇所を支持されると共に、中央の箇所を支持されることになり、ねじをねじ込んで締めたときにも、フロントケースが凹むように反ることが起きないようにすることが出来、よって、電話機本体組立体に悪影響が及ばないようにすることが出来る。
【００６８】
（付記７）  電話機本体組立体と、
ラバー製であるシート部と該シート部上に配してある複数のキートップとを有し、上記電話機本体組立体の上面に載っているキートップ組立体と、
フロントケースとリアケースとよりなり、内部に電話機本体組立体とキートップ組立体とを収容するケース組立体とよりなり、フロントケースに操作部を有する構成の携帯電話機において、
フロントケースを、内面に座ぐることによって形成された平面部を有し、キートップがそのフランジ部が上記平面部に当たって位置決めされ、キートップの上部の部分に、フロントケースの上面に接着されたカバー部材の開口が嵌合した構成としたことを特徴とする携帯電話機。
【００６９】
付記７の発明によれば、フロントケースが、内面に座ぐることによって形成された平面部を有し、キートップがそのフランジ部が上記平面部に当たって位置決めされ、キートップの上部の部分に、フロントケースの上面に接着されたカバー部材の開口が嵌合した構成としたため、フロントケースの裏面にキートップのフランジ部を受けるためにリブを設ける場合に比べて、成型金型を簡単に出来る。
【００７０】
【発明の効果】
上述の如く、本発明によれば、キートップ組立体は、シート部の上面に、反射シートを敷設してなる構成としたものであるため、シート部の上面に抜ける光を無くして、例えば発光ダイオードより出た光を有効に利用され、各キートップをより明るく光らせることが出来る。また、キートップの周りの箇所からの光の漏れを防止出来、よって、キートップの周りの箇所が明るくなることが無くなり、見栄えを良く出来る。
【図面の簡単な説明】
【図１】本発明に係る第１機種の携帯電話機の分解斜視図である。
【図２】図１の第１機種の携帯電話機のフリッパが開いた状態の斜視図である。
【図３】図２の第１機種の携帯電話機の断面図である。
【図４】本発明に係る第２機種の携帯電話機の分解斜視図である。
【図５】図４の第２機種の携帯電話機のフリッパが開いた状態の斜視図である。
【図６】図５の第２機種の携帯電話機の断面図である。
【図７】テンキーパッド組立体を示す図である。
【図８】テンキーパッドの組立てを説明するための図である。
【図９】シリコンラバー製ベースの第１の変形例を示す図である。
【図１０】シリコンラバー製ベースの第２の変形例を示す図である。
【図１１】反射シートの作用を説明する図である。
【図１２】図２中、音量調整操作部を示す斜視図である。
【図１３】操作ノブの誤動作防止を説明する、図１２中、XIII-XIII 線に沿う拡大断面図である。
【図１４】操作ノブの誤動作防止を説明する、図１２中、XIV-XIV 線に沿う拡大断面図である。
【図１５】文字が消えにくいことを説明する、図１２中、XV-XV 線に沿う拡大断面図である。
【図１６】フリッパロック解除機構を示す図である。
【図１７】図１６のフリッパロック解除機構を、フロントケースを表裏反転して示す図である。
【図１８】フロントケースの反りを防止する構造を示す分解斜視図である。
【図１９】フロントケースの反りを防止する構造を示す断面図である。
【図２０】ヒンジ機構組み込み部を示す、図１８中、XX-XX 線に沿う断面図である。
【図２１】着信発光部の構造を示す、図２中、XXI-XXI 線に沿う拡大断面図である。
【図２２】図２１中のパネル部材を下方からみて示す斜視図である。
【図２３】図２１中、パネル部材の取付けを説明する図である。
【図２４】図５中、第２の操作部の構造を、フロントケースの内側からみて示す図である。
【図２５】従来の携帯電話機の操作部を示す図である。
【図２６】図２５中のテンキーパッドを示す図である。
【図２７】図２６のテンキーパッドへの印刷を説明する図である。
【符号の説明】
３０  第１機種の携帯電話機
３０Ａ  第２機種の携帯電話機
３１  電話機本体組立体
３２，３２Ａ  テンキーパッド組立体
３３  リアケース組立体
３４  フロントケース組立体
３５  ねじ
３６  ケース組立体
３７  アンテナ
３８  フロントケース
３９  フリッパ
４０  表示窓部材
４１  受話器カバー
４２  フリッパロック解除機構
５１  第１の操作部
５２  第２の操作部
５３  液晶表示部
５４  受話器部
５５  送話器部
５６  フリッパ開き操作部
５７  音量調整操作部
５８  バッテリ
６０  シリコンラバー製のベース
６０ａ  平面状のシート部
６０ａ−１  テンキー・ファンクションキー群支持領域部
６０ａ−２  通話関連キー群支持領域部
６０ｂ  凸部
６０ｃ  天面
６１  透明の合成樹脂製のキートップ
６１ａ  フランジ部
６１ｂ  キートップの天面
６２  反射シート
６２ａ  開口
６２ｂ  反射面
６２ｃ  黒塗装面
６５  テンキー
６６  テンキー群
６７  ファンクションキー
６８  ファンクションキー群
６９  通話開始キー
７０  リダイヤルキー
７１  通話終了キー
７２  通話関連キー群
７５  スリット
７７  キートップ集合体
７８  治具
７９  繋ぎリブ
８０  曲面状の上面
８１  一の平面
８２，８３  肉厚の薄いスカート部
８５、８６  Ｖ字状の溝
８７  薄肉部
９０  発光ダイオード
９１、９２  光
９５  開口
９６  隙間
９７  光
１００  丘部
１００ａ  中央の円柱周面部
１００ｂ，１００ｃ  両端側の球面部
１０１、１０２  操作ノブ
１０３  ケース組立体の側面
１０５  開口
１１０  Ｘ方向に細長い物
１１１  Ｚ方向に細長い物
１１２  文字
１１３  凹状面部分
１１４  指
１２０  ロック部材
１２０ａ  押し釦部
１２０ｂ  腕部
１２０ｃ  爪部
１２０ｄ  段部
１２０ｅ  溝
１２１  トーションコイルばね
１２１ａ  コイル部
１２１ｂ  長い腕部
１２１ｃ  短い腕部
１２２  開口
１２３，１２４  ボス
１２５、１２６  リブ
１２７  隙間
１２８  軸線
１３０  コイル部が固定してある部分
１３１  ストッパ柱
１３２  爪部受け部
１４０、１４１  突部
１４２  長手方向中心線
１４５、１４６  孔
１４７  ボス
１５０  ヒンジ機構組み込み部
１５１  トンネル部
１５２  切り取られた部分
１５３  面
１５４  ヒンジ機構
１６０  着信発光部
１６１  透明樹脂製のパネル部材
１６１ａ  パネル部
１６１ｂ  導光板部
１６１ｃ  凹部
１６１ｄ  一端側部
１６２  開口
１６３  発光ダイオード
１６５，１６６，１６７  光
１７０  平面部
１７０  開口
【図１】
0003813594.tif 000002
【図２】
0003813594.tif 000003
【図３】
0003813594.tif 000004
【図４】
0003813594.tif 000005
【図５】
0003813594.tif 000006
【図６】
0003813594.tif 000007
【図７】
0003813594.tif 000008
【図８】
0003813594.tif 000009
【図９】
0003813594.tif 000010
【図１０】
0003813594.tif 000011
【図１１】
0003813594.tif 000012
【図１２】
0003813594.tif 000013
【図１３】
0003813594.tif 000014
【図１４】
0003813594.tif 000015
【図１５】
0003813594.tif 000016
【図１６】
0003813594.tif 000017
【図１７】
0003813594.tif 000018
【図１８】
0003813594.tif 000019
【図１９】
0003813594.tif 000020
【図２０】
0003813594.tif 000021
【図２１】
0003813594.tif 000022
【図２２】
0003813594.tif 000023
【図２３】
0003813594.tif 000024
【図２４】
0003813594.tif 000025
【図２５】
0003813594.tif 000026
【図２６】
0003813594.tif 000027
【図２７】
0003813594.tif 000028